(57)【要約】【課題】透明な表示板に印刷された画像を、簡単に且つ高画質に表示する。【解決手段】透明な表示板の表面に、光散乱微粒子を分散させた透明インクで画像を印刷しておく。表示板の端面から表示板の内部に光を入射すると、表示板の表面で反射を繰り返しながら、光が内部を伝播して、透明インクによって画像が印刷された部分を光らせる。ここで、透明インクによる画像の上に、光散乱微粒子を含まない透明樹脂によるクリア層を設けることにより、表示板の最表面を平滑に形成しておく。こうすれば、透明インクの端部から透過した光をクリア層の表面で内部に反射させることができるので、画像のぎらつきを回避することが可能となる。【選択図】図８
2010128383.tif 000002
【特許請求の範囲】
【請求項１】
所定の画像を表示する表示装置であって、
光を散乱させる微粒子を含んだ透明インクによって、前記所定の画像が透明な板状部材の表面に印刷された表示板と、
前記表示板の端面から該表示板の内部に向けて光を入射する光入射部と
を備え、
前記表示板は、前記透明インクによって印刷された前記画像の上に、前記光を散乱させる微粒子を含まない透明樹脂によるクリア層が設けられることによって、最表面が平滑に形成された表示板である表示装置。
【請求項２】
請求項１に記載の表示装置であって、
前記表示板は、前記透明インクによるインク滴が表面に吐出されるとともに、該インク滴が吐出された密度の濃淡によって表現された前記画像が印刷されている表示板である表示装置。
【発明の詳細な説明】
【技術分野】
【０００１】
本発明は、透明な表示板に文字や図形などの画像を表示する表示装置に関する。
【背景技術】
【０００２】
透明な表示板上に文字や図形などを形成しておき、光を用いて、これら画像を表示する技術は、種々の技術が提案されている。その多くのものは、表示板の背面側から光を照射することで、表示板に形成された文字や図形を浮き上がらせて表示しようとする技術である。
【０００３】
これに対して、透明な表示板の表面に略三角形断面の溝を掘って図形を描いておき、表示板の側面から表示板内に光を導入することによって、文字や図形を浮き上がらせて表示しようとする技術も提案されている（特許文献１）。
【０００４】
このような提案されている技術によれば、透明な表示板の側面から光を導入するために、背面から光を照射する方法に較べて表示部分を薄くすることが可能であり、また、いわゆる液晶画面を用いる方法に較べて遙かに簡単に文字や、図形、画像などを表示することが可能である。
【０００５】
【特許文献１】特許第３８６４３４２号公報
【発明の開示】
【発明が解決しようとする課題】
【０００６】
しかし、提案されている技術では、表示板の表面に溝を掘って図形を描いておく必要があり、このような図形を描くことはそれほど容易ではない。そこで、本願の発明者は、光を散乱させる微粒子を含んだ透明なインクを用いて、透明な表示板の表面に画像を印刷し、表示板の側面から光を導入することによって画像を表示する技術を開発して、既に出願済みである。かかる出願中の技術を用いれば、透明なインクで画像を印刷するだけでよいので、より簡単に画像を表示させることができる。もっとも、この技術によって表示した画像は、観察する方向によっては、画像がぎらついた感じに見えてしまう場合があり、より高画質な画像を表示するために、更なる改良が望まれている。
【０００７】
この発明は、上述した課題に対応してなされたものであり、透明な表示板に印刷された画像を、簡単に且つ高画質に表示可能な技術の提供を目的とする。
【課題を解決するための手段】
【０００８】
上述した課題の少なくとも一部を解決するために、本発明の表示装置は次の構成を採用した。すなわち、
所定の画像を表示する表示装置であって、
光を散乱させる微粒子を含んだ透明インクによって、前記所定の画像が透明な板状部材の表面に印刷された表示板と、
前記表示板の端面から該表示板の内部に向けて光を入射する光入射部と
を備え、
前記表示板は、前記透明インクによって印刷された前記画像の上に、前記光を散乱させる微粒子を含まない透明樹脂によるクリア層が設けられることによって、最表面が平滑に形成された表示板であることを要旨とする。
【０００９】
このような本発明の表示装置においては、透明な板状部材である表示板の表面に、表示しようとする画像を、透明なインクを用いて予め印刷しておく。画像は、透明な表示板の上に透明インクで印刷されているので、そのままではほとんど画像は目立たない。画像を表示しようとする際には、表示板の端面から表示板の内部に光を入射する。すると、入射された光は、表示板の表面で反射を繰り返しながら内部を伝播していき、透明インクによって画像が印刷された部分に到達する。透明インクには光を散乱させる微粒子（光散乱微粒子）が分散されているので、光があたると、透明インクで印刷された画像が光って表示されることになる。
【００１０】
ここで、画像が印刷された表示板の表面を微視的に観察すると、透明インクが塗布された部分と、透明インクが塗布される前の板状部材の表面がそのまま現れている部分とが存在している。そして、詳細なメカニズムについては後述するが、表示板の内部を伝播してきた光が透明インクの端部に入射すると、その光の一部が、透明インク内から外部に透過してくる。その結果、画像を観察する方向によっては透明インクの端部が強く光り、その結果として画像がぎらついて見えてしまうことがある。ところが、本発明の表示装置では、このような端部を透明樹脂によるクリア層で埋めることによって、最表面が平滑に形成されているので、透明インクの端部から透過してきた光も、平滑に形成された最表面で再び内部に向けて反射される。このため、透明インクの端部を透過した光が観察者の目に入ることはなく、画像がぎらついて見えることを確実に回避することができる。もちろん、透明インク内の微粒子で散乱された光の大部分は最表面を透過するので、透明インクで印刷した画像が光っている様子を明確に認識することが可能である。
【００１１】
また、上述した本発明の表示装置においては、表示板に表示しようとする画像を、次のようにして印刷しても良い。すなわち、透明インクによるインク滴を表示板の表面に吐出して、インク滴が吐出された密度の濃淡によって表現された画像を印刷することとしてもよい。
【００１２】
インク滴を吐出するとともに、インク滴が吐出された密度の濃淡によって画像を表現する技術を用いれば、極めて高画質な画像を印刷することができるが、その一方で、この技術を用いて透明インクによる画像を印刷すると、画像のぎらつきが発生し易い傾向がある。従って、このような方法で印刷した画像の上に、透明樹脂によるクリア層を設けることとすれば、高画質でありながら、ぎらつきのない画像を光らせて表示することが可能となる。
【００１３】
また、上述した本発明の表示装置においては、画像を印刷するために用いた透明インクと同じ材質であるが、より流動性が高く、光を散乱させる微粒子を含まない透明インク用いて、クリア層を形成するようにしてもよい。
【００１４】
こうすれば、透明インクで形成された部分と、クリア層とで光の屈折率を一致させることができるので、これらの境界面の部分で光が反射することを回避することができる。透明インクとクリア層との境界面は、表示板の表面に対して平行ではないから、境界面で反射した光は表示板内を伝播することができず、その分だけ光が減衰してしまう。しかし、透明インクで形成された部分と、クリア層とで光の屈折率を一致させておけば、光の減衰を回避することが可能となる。
【発明を実施するための最良の形態】
【００１５】
以下では、上述した本願発明の内容を明確にするために、次のような順序に従って実施例を説明する。
Ａ．装置構成：
Ｂ．画像の表示原理：
Ｃ．ぎらつきの発生メカニズム：
Ｄ．ぎらつき発生の回避方法：
Ｅ．変形例：
【００１６】
Ａ．装置構成  ：
図１は、本実施例の表示装置１００の大まかな構成を示した説明図である。図示されているように、本実施例の表示装置１００は、大きくは、画像が表示される表示板１１０と、表示板１１０が立設されるベース部１２０とから構成されている。表示板１１０は、アクリル板やガラス板などの透明な板状部材によって形成されており、表示板１１０の表面には、表示しようとする画像１１２が透明インクによって印刷されている。後述するように透明インクには光を散乱させる微粒子（光散乱微粒子）が僅かに混入されているが、透明な表示板１１０の上に透明インクによる画像１１２が形成されているだけなので、注意深く観察しない限り、表示板１１０の表面に画像１１２が印刷されていることには気が付かないようになっている。
【００１７】
尚、本実施例では、表示板１１０も、透明インクも、何れも無色透明であるものとして説明するが、表示板１１０の表面に透明インクで印刷された画像が目立たなければ、必ずしも無色透明である必要はない。例えば、表示板１１０が僅かに色を帯びている場合は、同じ色を僅かに帯びた透明インクを用いて印刷された画像は目立たない。従って、透明インクが僅かに色を帯びていた場合でも、その色が表示板１１０と同じ系統の色であれば、本実施例の透明インクとして好適に用いることができる。もちろん、透明インクが無色透明であれば、表示板１１０がどのような色を帯びていている場合でも、好適に用いることが可能である。
【００１８】
このような表示板１１０を、ベース部１２０の上面に設けられた溝に装着する。後述するように、溝の底部には発光ダイオード（以下、ＬＥＤ）などの複数の発光体が設けられており、表示板１１０をベース部１２０に装着すると、表示板１１０の端面が、複数の発光体と向き合うようになっている。そして、ベース部１２０に設けられた操作スイッチ１２２を操作して発光体を点灯させると、表示板１１０の表面に透明インクによって印刷された画像１１２の部分のみが光るようになる。その結果、点灯前は、図１（ａ）に示されるように、単なる透明な板にしか見えなかった表示板１１０が、点灯後は、図１（ｂ）に示すように、透明インクで印刷した画像１１２が光って浮き上がることとなり、たいへん効果的に画像１１２を表示することが可能となる。表示板１１０の表面に透明インクで印刷された画像１１２が、浮き上がるように光って表示されるメカニズムについては後述する。
【００１９】
図２は、本実施例の表示装置１００で用いられているベース部１２０の大まかな構造を示した説明図である。尚、図２では、理解の便宜を図って、ベース部１２０の一部を破った状態で表示してある。また、ベース部１２０に装着される表示板１１０も一部を表示してある。
【００２０】
図２に示されているように、ベース部１２０は、大まかには直方体の形状となっている。頂面のほぼ中央には、表示板１１０が装着される溝１２４が形成されており、溝１２４の底部には、複数の発光ダイオード（以下、ＬＥＤ１２６）が一列に設けられている。表示板１１０は、図中に矢印で示したように、ベース部１２０の上方から溝１２４に装着される。
【００２１】
図３は、ベース部１２０の溝１２４に装着された表示板１１０と、溝１２４内に一列に設けられたＬＥＤ１２６との位置関係を概念的に示した断面図である。図示されるように、ベース部１２０の溝１２４に表示板１１０を装着すると、表示板１１０の端面が、一列に配列されたＬＥＤ１２６と向かい合うようになっている。このため、表示板１１０をベース部１２０に装着した状態で、ＬＥＤ１２６を点灯させると、ＬＥＤ１２６から放射された光が、端面から表示板１１０の内部に入射され、そして表示板１１０の中を伝播した後、以下に説明するメカニズムによって、透明インクで印刷された画像１１２を光らせる。その結果、ＬＥＤ１２６の点灯前には、単なる透明な板のように見えていた表示板１１０に、画像１１２が浮かび上がるようにして表示されることになる。
【００２２】
尚、ここでは、ＬＥＤ１２６は、白色の光を放射する白色ＬＥＤであるものとして説明するが、これに限らずどのようなＬＥＤを用いても良い。あるいは、異なる色の光を放射する種々のＬＥＤを混在させて用いることもできる。更には、ＬＥＤに限らず、豆電球など、他の発光体を用いてもよい。
【００２３】
Ｂ．画像の表示原理  ：
図４は、透明な表示板１１０の表面に透明インクで印刷された画像１１２が、ＬＥＤ１２６を点灯することで浮かび上がるように表示される原理を示した説明図である。前述したように、表示板１１０をベース部１２０の溝１２４に装着すると、表示板１１０の端面が、溝の底部に設けられたＬＥＤ１２６と向かい合う位置にくる。その状態でＬＥＤ１２６を点灯させると、ＬＥＤ１２６から放射された光が、表示板１１０の端面から内部に入射されて、表示板１１０の内部を進行する。図４（ａ）には、ＬＥＤ１２６からの光が、表示板１１０の端面から入射して、表示板１１０の内部を進行する様子が示されている。このようにして端面から入射された光の大部分は、表示板１１０の表面と浅い角度で交差する。このように浅い角度で表示板１１０の表面に達した光は、表面から表示板１１０の外部に透過することなく、全ての光が表面で反射して、再び表示板１１０の内部を進行する。そして反対側の表面に浅い角度で達した後、反対側の表面で全ての光が反射して、再び表示板１１０の内部を進行する。ＬＥＤ１２６から放射された光の大部分は、こうして表示板１１０の表面で反射を繰り返しながら、表示板１１０の内部を伝播していく。このような現象は、光の屈折の一態様として現れる現象であり、「完全反射」と呼ばれることがある。本実施例の表示装置１００では、この完全反射と呼ばれる現象を利用して透明な表示板１１０の内部で光を伝播させて、透明インクで印刷された画像１１２を浮かび上がらせている。そこで、完全反射と呼ばれる現象について、簡単に説明しておく。
【００２４】
図４（ｂ）は、光が屈折する様子を概念的に示した説明図である。光の屈折は、屈折率の異なる２つの媒質の境界面を光が通過しようとするときに生じる現象であり、「スネルの法則」としてまとめられている。ここで屈折率とは、媒質中での光の通り易さに関連する物性値である。スネルの法則によれば、ある屈折率の媒質中を進行している光が、異なる屈折率を有する媒質との境界面に達すると、一部の光は境界面で反射し、残りの光は境界面を通過して異なる屈折率の媒質中を進行する。このとき、境界面で反射する光は、境界面に光が入射する角度（入射角θi ）と境界面から光が反射する角度（反射角θr ）とが等しくなる方向に反射する。ここで、入射角θi は、通常、境界面から法線を立てて、法線と境界面に入射する光（入射光）の進行方向との間の角度によって表され、反射角θr は、境界面の法線と境界面で反射した光（反射光）の進行方向とのなす角度によって表されている。
【００２５】
また、異なる屈折率の媒質中を進行する光（透過光）の進行方向は、上流側の媒質の屈折率をｎ1 、下流側の媒質の屈折率をｎ2 とし、下流側の媒質中を進行する透過光の角度（透過角度θt ）とすると、下流側の媒質中を、
ｎ1 ・ｓｉｎθi ＝ｎ2 ・ｓｉｎθt 
を満足するような透過角度θt の方向に進行する。ここで、透過角度θt は、屈折率の異なる媒質間の境界面の法線と、透過光の進行方向との間の角度によって表されている。図４（ｂ）には、このようなスネルの法則に従って、入射光の一部が反射するとともに、残りの光が透過光として、異なる媒質中を進行する様子が概念的に示されている。例えば、アクリル樹脂の板の中を進行している光が板の表面に達すると、スネルの法則によって、表面部分で進行方向が曲げられた後に、空気中を進行することになる。ここで、アクリル樹脂の屈折率は約１．５、空気の屈折率は約１．０であり、屈折率の高い媒質から低い媒質中に侵入する場合に相当するから、空気中に入った透過光は、境界面（すなわち、アクリル樹脂の表面）に近付く方向に進行方向が曲げられて、空気中を進行することになる。また逆に、空気中を進行する光がアクリル樹脂内に侵入する場合のように、屈折率の低い媒質から高い媒質中に侵入する場合は、境界面から離れる方向に、光の進行方向が曲げられることになる。
【００２６】
上述したスネルの法則から、屈折率の高い媒質中を進行していた光が屈折率の低い媒質との境界に達した場合には、全ての光が反射するような特別な条件が存在していることが分かる。すなわち、上述したように、屈折率の高い媒質から低い媒質中に光が進行する場合、下流側の媒質中を進行する光は、入射してきた方向に対して、若干、境界面の側に進行方向が曲げられる。従って、境界面に入射する光の角度を次第に寝かせて（入射角θi を大きくして）いくと、境界面の向こう側に透過した光の向きは、スネルの法則によって境界面に近付く方向に曲げられるので、ある入射角θi に達した時点で透過光の進行方向が境界面と平行になってしまう。このような状態は、下流側の媒質中に光が侵入できない状態である。更に、この入射角θi よりも寝かせて（大きな角度入射角θi で）境界面に光が入射すると、全ての光が境界面で反射してしまうことを意味している。図４（ｃ）には、このような状態が概念的に示されている。また、このような状態（透過光の進行方向が境界面と平行になる状態）となる入射角θi は、臨界角θc と呼ばれている。
【００２７】
これに対して、屈折率の低い媒質中から屈折率の高い媒質中に光が進行しようとする場合には、境界面を透過した光は、スネルの法則によって境界面から遠ざかる方向に曲げられる。このため、透過光の進行方向が境界面と平行になる状態は起こり得ず、臨界角θc は存在しない。
【００２８】
以上に説明したように、屈折率の高い媒質中から低い媒質中に光が出ようとする場合には、臨界角θc を考えることができ、境界面に対して臨界角θc よりも大きな角度で（すなわち、境界面に対して寝かせて）光が入射すると、全ての光が境界面で反射してしまい、屈折率の低い媒質中に出ていくことができなくなる。本明細書中では、このような条件を、「完全反射の条件」と呼ぶことにする。ちなみに、アクリル樹脂（屈折率は約１．５）内から空気（屈折率は約１．０）中に光が出ようとする場合には、臨界角θc は約４２度となる。
【００２９】
本実施例の表示装置１００では、上述した完全反射の条件を利用することにより、ＬＥＤ１２６からの光を、表示板１１０の表面に画像１１２が印刷された部分まで効率よく導いて、画像１１２のインク層１１４を光らせている。すなわち、表示板１１０は、アクリル樹脂あるいはガラスなどの透明材料によって形成されているが、これらの材料は何れも、空気よりは屈折率が大きな媒質である。また、薄い表示板１１０の端面から光を入射すると、入射された光の大部分は、表示板１１０の表面に対して浅い角度で（大きな入射角で）進行する。結局、端面から入射した光の中で、表示板１１０の表面に対して臨界角θc よりも大きな入射角で入射した光については完全反射の条件が成り立ち、その結果、端面から入射した光の多くは表示板１１０の表面で反射を繰り返しながら、表示板１１０の内部を進行していくことになる。
【００３０】
図４（ａ）では、透明な表示板１１０の端面から入射した光が、表示板１１０の表面で反射を繰り返しながら内部を進行していく様子が、太い破線あるいは太い一点鎖線の矢印によって表されている。尚、端面の近傍では、臨界角θc よりも小さな角度で（すなわち、表面に対して垂直に近い方向から）、表示板１１０の表面に入射する光も存在する。図４（ａ）中に細い二点差線で示した矢印は、臨界角θc よりも小さな角度で、表示板１１０の表面に入射する光を例示したものである。このような光については、完全反射の条件が成り立たないので、光の一部は表示板１１０の表面を透過して空気中に進行し、残りの光は表示板１１０の内部に反射する。反射した光は表示板１１０の内部を通過して反対側の表面に達するが、反対側の表面でも完全反射の条件は成り立っていないので、この表面でも一部の光は空気中に進行し、残りの光は反射して再び表示板１１０の内部を通過する。完全反射の条件を満たさない光は、こうしたことを繰り返しながら減衰するため、端面から少し進行するまでにほとんど消滅してしまう。そして、それより先の領域では、完全反射の条件を満たした光のみが、表示板１１０の内部を進行することになる。
【００３１】
尚、表示板１１０の端面から入射した光のうち、完全反射の条件を満たさない光が消滅するまでの範囲では、光の一部が外部に透過してくるので、表示板１１０が淡く光って見えることになる。そこで、ベース部１２０の溝１２４の深さは、表示板１１０の端面付近に現れるこのような部分を隠すことができる深さに設定されている。こうすれば、表示板１１０に印刷された画像１１２を光らせて表示したときに、その光が供給されている箇所を分からない様にすることができるので、透明な板の中から画像が浮き上がってきたかのような印象を、より強く与えることが可能となる。
【００３２】
こうして表示板１１０の内部を進行した光は、やがて表示板１１０の表面に画像１１２が印刷された部分（透明インクによるインク層１１４が形成された領域）に到達する。インク層１１４の材質は、表示板１１０の材質とは違うので、屈折率も完全には一致していないが、表示板１１０と空気との違いに比べれば、表示板１１０とインク層１１４とでは、屈折率が大きく異なることはない（実際には、表示板１１０の屈折率よりも若干大きく、例えば表示板１１０がアクリル樹脂で形成されている場合であれば、アクリルの屈折率である約１．５に対して、１．６程度の屈折率であることが望ましい）。このため、表示板１１０とインク層１１４との境界面に達した光は、ほとんど進行方向を曲げられることなく、そのまま境界面を通過して、インク層１１４の内部を進行する。
【００３３】
ここで、画像の印刷には、僅かに微粒子（光散乱微粒子１１４ｐ）が分散された透明インクが用いられており、表示板１１０の表面に形成されたインク層１１４にも、僅かに光散乱微粒子１１４ｐが分散した状態となっている。このため、インク層１１４内を進行する光の一部は、光散乱微粒子１１４ｐに衝突して周囲に散乱される。インク層１１４には、光散乱微粒子１１４ｐが均一に分散しているため、透明インクで印刷された画像全体が明るく光って表示されることになる。また、以上の説明から明らかなように、透明インク内に光散乱微粒子を分散させる濃度を上げれば、透明インクで印刷された画像を、より明るく光らせることも可能となる。図４（ａ）には、インク層１１４を進行する光が、光散乱微粒子１１４ｐに衝突して散乱する様子が、太い破線の矢印、あるいは太い一点鎖線の矢印によって表示されている。
【００３４】
一方、光散乱微粒子１１４ｐに衝突しなかった光は、そのままインク層１１４の内部を進行して、インク層１１４の表面に到達する。上述したように、インク層１１４の屈折率と表示板１１０の屈折率とはほぼ同じであるから、インク層１１４の表面でも完全反射の条件が成立する。このため、インク層１１４の表面に到達した光は、表面で完全反射した後、インク層１１４の内部を進行し、更に、表示板１１０の中へと戻っていく。図４（ａ）には、インク層１１４の表面で完全反射した後、再び表示板１１０の中へと光が戻っていく様子が、細い破線の矢印によって表示されている。
【００３５】
尚、表示板１１０の表面に透明インクによる画像１１２を印刷する場合に限らず、透明インクによる画像１１２を印刷した透明シートを、表示板１１０の表面に貼り付けた場合にも、同様の現象によって、画像を光らせることができる。すなわち、透明シートの屈折率は、表示板１１０の屈折率とほぼ同じであるから、表示板１１０の内部を進行する光にとっては、透明シートも表示板１１０も、大きな違いはない。このため、透明シートが貼り付けられている部分に到達すると、そのまま直進して、透明シートの表面に到達し、表面に透明インクによる画像が印刷されていれば、上述した原理によって画像を光らせることができる。
【００３６】
本実施例の表示装置１００は、透明な表示板１１０の表面に形成されたインク層１１４の光散乱微粒子１１４ｐを光らせることによって、画像１１２を表示している。ＬＥＤ１２６から放射された光が表示板１１０の内部を伝播していても、そのことは見えないから、観察者にはあたかも画像自体が光を発しているように見える。しかも、ＬＥＤ１２６を点灯させていない場合は、表示板１１０は、注意深く観察しない限り、単なる透明な板にしか見えないから、透明な板の中から光って画像が浮き上がってきたような、たいへんに印象深い表示を行うことが可能となるのである。
【００３７】
ここで、このようにして表示した画像は、観察する角度によって、画像がぎらついて見えてしまうことがあった。こうした傾向は、光らせる画像１１２の画質を向上させるために、印刷する画像１１２の解像度を高くした場合に顕著となる。例えば、いわゆるインクジェットプリンタなどでは、微細なインク滴を吐出することによって、写真と比較し得るほどの高画質の画像を印刷することが可能となっている。そこで、この方式を採用して、表示板１１０の表面に微細なインク滴を吐出することによって画像１１２を印刷すると、画像にぎらつきが発生して、逆に画質を損ねてしまいかねない場合があった。そこで、このような現象が生じるメカニズムを究明した結果、画像のぎらつきを効果的に抑制可能な方法が見出された。以下では、この点について詳しく説明する。
【００３８】
Ｃ．ぎらつきの発生メカニズム  ：
図５は、透明インクで印刷された画像がぎらついて見えることがある理由を示した説明図である。図５では、表示板１１０の表面に透明インクによるインク層１１４が形成されている様子が拡大して示されている。表示板１１０の表面に塗布された直後の透明インクの端面は、インクの表面張力によって曲面形状となっている。このため、透明インクが固まった後のインク層１１４の端部も、ほぼ曲面形状となる。すなわち、実際のインク層１１４は、図５に示すように、ほぼ平面とみなして良い部分（頂面部）の周囲に、ほぼ曲面形状の部分（端部）が形成されたような形状となっている。
【００３９】
インク層１１４が、実際にはこのような形状となっているため、表示板１１０の内部からインク層１１４内に侵入した光は、大きく３つに分類されることになる。すなわち、インク層１１４内の光散乱微粒子１１４ｐに衝突して周囲に散乱する光と、光散乱微粒子１１４ｐに衝突することなくインク層１１４を進行して頂面部の表面に到達する光と、同じくインク層１１４を進行して端部の表面に到達する光の３つに分類することができる。図５では、光散乱微粒子１１４ｐに衝突する光を太い実線の矢印で表し、頂面部の表面に到達する光を細い破線の矢印で表し、端部の表面に到達する光を太い一点鎖線の矢印によって表している。
【００４０】
インク層１１４に到達する光は、表示板１１０の表面で完全反射を繰り返しながら進行してきた光であり、インク層１１４の頂面部は、表示板１１０の表面とほぼ平行と考えることができるから、頂面部ではほぼ完全反射の条件が成り立つ。従ってインク層１１４の頂面部では、図５中に細い破線の矢印で示したように完全反射して、インク層１１４の内部を進行して、再び表示板１１０へと戻っていく。
【００４１】
これに対してインク層１１４の端部では、表示板１１０の表面に対してインク層１１４の表面が大きく傾いているので、完全反射の条件が成り立たない。このため、インク層１１４の端部に到達した光の一部は反射し、残りの光は、図５中に太い一点鎖線の矢印で示したように、端部の表面で屈折して進行方向を変えた後、空気中を直進していく。このような光は、光散乱微粒子１１４ｐで周囲に散乱した光（図中に太い破線で示す光）とは異なり、端部の表面で屈折した角度で決まる一定方向に、空気中を直進するため、観察者の目に入ると眩しく感じることになる。
【００４２】
表示板１１０の表面に透明インクで印刷される画像は、実際には、図５に示すように、頂面部および端部から構成される小さなインク層１１４が、無数に集まって形成されている。このため、表示板１１０に表示された画像をある角度から観察すると、各インク層１１４の端部からの光が目に入って眩しく感じられ、その結果、ぎらついた画像に見えてしまうのだと考えられる。
【００４３】
図６は、大きさの異なるインク層１１４について、頂面部に相当する部分、および端部に相当する部分を概念的に示した説明図である。図６（ａ）から、図６（ｂ）、図６（ｃ）と、次第にインク層１１４の面積が大きくなるに従って、インク層１１４全体の面積に対する端部の比率が大きくなっている。一般に高画質の画像を印刷しようとすると、画像を高解像度化することが通常であり、それに伴って、個々のインク層１１４の大きさは小さくなっていく。その結果、全体にインク層１１４の全体に占める端部の割合が高くなり、画像のぎらつきが発生し易くなる。特に、微細なインク滴を吐出することによって画像を印刷するプリンタ（いわゆるインクジェットプリンタ）を用いれば、写真と同じ程度に高画質な画像を印刷することが可能であるが、微細なインク滴を吐出する関係上、インク層１１４の面積も小さくなるので、画像のぎらつきが発生し易くなる。このため、表示される画像の画質を大きく損ねる結果となり易い。
【００４４】
図７は、表示板１１０の表面に透明インクで印刷された画像の一部を拡大した様子を概念的に示した説明図である。図中に破線で示した小さな矩形は画素を表している。これら画素の中に、透明インクによるインク層１１４が形成される画素を適切な分布で発生させることによって、画像が印刷されている。このように小さなインク層１１４を形成して印刷された画像では、図６を用いて前述したようにインク層１１４の端部の割合が多くなるため、画像を観察する方向によってぎらつきが発生し易くなる。そこで、本実施例の表示装置１００では、このような画像のぎらつきを回避するために、次のような方法を採用している。
【００４５】
Ｄ．ぎらつき発生の回避方法  ：
図８は、本実施例の表示装置１００では、ぎらつきの発生を回避可能な理由を示した説明図である。図示されるように、本実施例では、透明な表示板１１０の表面に、光散乱微粒子１１４ｐを含んだ透明インクによるインク層１１４が形成され、その上に、透明樹脂によるクリア層１１６が形成されて、表示板１１０の最表面（クリア層１１６の上面）は平滑に形成されている。このため、表示板１１０の内部を伝播してきた光は、インク層１１４が形成されている部分に到達すると、そのままインク層１１４の内部を進行する。そして、インク層１１４内に分散している光散乱微粒子１１４ｐに衝突すると、周囲に散乱してその部分を光らせる。図８には、表示板１１０の内部を伝播してきた後、インク層１１４内の光散乱微粒子１１４ｐによって周囲に散乱する光が、破線の矢印によって表されている。
【００４６】
一方、インク層１１４とクリア層１１６とは、さほど屈折率が違わないので、光散乱微粒子１１４ｐと衝突することなくインク層１１４を通過した光は、クリア層１１６との境界面に達すると、ほとんど反射することなく境界面を通過して、クリア層１１６の上面に到達する。クリア層１１６と空気とでは屈折率は大きく異なっており、しかもクリア層１１６の上面は平滑に形成されているので、ほぼ完全反射の条件が成り立つ。その結果、クリア層１１６の表面で完全反射して、再び表示板１１０へと戻っていく。図８には、表示板１１０の内部を伝播してきた後、インク層１１４を通り抜けてクリア層１１６の上面で反射する光が、一点鎖線の矢印によって表されている。
【００４７】
本実施例の表示装置１００では、表示板１１０の表面に透明インクによる画像を形成した後、その上から透明樹脂によるクリア層１１６を形成して、表示板１１０の最表面（クリア層１１６の上面）を平滑に形成しており、このため、上述したメカニズムによって、インク層１１４の端部から透過した光が、観察者の目に入ることがない。表示板１１０上に表示された画像がぎらついて見えることを、効果的に回避することが可能となる。
【００４８】
尚、クリア層１１６を形成するに際しては、インク層１１４を形成する透明インクと同じ材質であるが、光散乱微粒子１１４ｐを含まない透明インクを用いて形成することが望ましい。例えば、光散乱微粒子１１４ｐを含む透明インクによる画像を印刷した後に、光散乱微粒子１１４ｐを含まない透明インクを用いて印刷するか、もしくはスプレーなどで画像の上から塗布することによって、クリア層１１６を形成すればよい。
【００４９】
インク層１１４を構成する材質と、クリア層１１６を構成する材質とで屈折率が異なっていると、インク層１１４とクリア層１１６との境界面の部分で反射する光が発生する。そして、インク層１１４とクリア層１１６との境界面は、表示板１１０の表面に対して平行ではないから、境界面で反射した光は完全反射の条件を満足しないので、結局、その光の分だけ減衰してしまう。これに対して、インク層１１４を形成する透明インクと同じ材質であるが、光散乱微粒子１１４ｐを含まない透明インクを用いてクリア層１１６を形成しておけば、インク層１１４の部分とクリア層１１６の部分とで屈折率が同じとなり、これらの境界面では、光の反射が発生しない。その結果、表示板１１０内を伝播する光の減衰を抑制することが可能となる。
【００５０】
また、表示板１１０の表面に、透明インクによるインク層１１４が一定の密度以上で形成される場合には、次のような方法によって実質的にクリア層１１６を形成することも可能である。すなわち、紫外線などを照射することによって硬化する性質を有する透明なインク（以下、ＵＶインクという）を、透明インクとして使用し、光散乱微粒子１１４ｐを含んだＵＶインクによる画像を、表示板１１０の表面に印刷した後、紫外線などを照射することによってインク層１１４を形成している場合には、ＵＶインクによる画像を印刷した後、ある程度の時間が経過してから、紫外線などを照射するようにしてもよい。こうすれば、硬化する前のＵＶインクが、隣のＵＶインクと表面張力によって結合して、その結果、端部が減少する。そして、端部がある程度まで減少した段階で、紫外線などを照射してＵＶインクを硬化させる。こうすれば、インク層１１４の端部の割合が低い画像を印刷することができるので、画像を光らせた時に、ぎらつきが発生することを回避することが可能となる。
【００５１】
あるいは、溶媒が揮発することによって硬化するタイプの透明インクを用いて画像を印刷する場合には、透明インクの粘度を、隣のインクと結合し得る程度に僅かに低下させてもよい。こうすれば、表示板１１０の表面に塗布された透明インクが硬化する前に、隣の透明インクと結合して端部が減少するので、インク層１１４の端部の割合が低い画像を印刷することができる。その結果、画像を光らせた時に、ぎらつきが発生することを回避することが可能となる。
【００５２】
Ｅ．変形例  ：
上述した実施例では、白黒画像（単色画像）を表示する場合について説明した。しかし、表示装置１００では、カラー画像を表示することも可能であり、カラー画像を表示した場合でも、画像を観察する角度によって、画像がぎらついて見えることがある。このような場合でも、上述した方法で画像を印刷することで、画像のぎらつきを回避して高画質な画像を表示することが可能である。以下では、このような変形例について簡単に説明する。
【００５３】
図９は、カラー画像を表示可能な変形例の表示板１１０を示した説明図である。周知のようにカラー画像は、Ｒ（赤）色の画像、Ｇ（緑）色の画像、Ｂ（青）色の画像を重ねることによって表示することが可能である。また、カラー画像を、Ｒ色の画像、Ｇ色の画像、Ｂ色の画像に分解することは、「分版」と呼ばれることがある。そこで先ず初めに、表示しようとするカラー画像を、Ｒ色の画像、Ｇ色の画像、Ｂ色の画像に分版する。そして、Ｒ色の画像はＲ用の表示板１１０Ｒに、Ｇ色の画像はＧ用の表示板１１０Ｇに、Ｂ色の画像はＢ用の表示板１１０Ｂに、それぞれ透明インクを用いて印刷しておく。
【００５４】
こうして形成したＲ用の表示板１１０Ｒ、Ｇ用の表示板１１０Ｇ、Ｂ用の表示板１１０Ｂを重ね合わせて、１枚の表示板１１０を構成する。また、表示板１１０を重ね合わせた時に表示板１１０の表面同士が接触しないように、表示板１１０の表面には小さな突起１１８が形成されている。この突起１１８は、透明インクを印刷することによって形成しても良いし、表示板１１０の表面に小さな部材を接着することによって形成しても良い。
【００５５】
こうして３つの表示板１１０Ｒ，１１０Ｇ，１１０Ｂを重ねて構成した表示板１１０を、ベース部１２０の上面に設けられた溝に装着する。図１０は、カラー画像を表示可能な変形例のベース部１２０の溝に表示板１１０が装着されている様子を示した説明図である。図１０では、ベース部１２０を、側方（表示板１１０の表面に沿った方向）から見た様子が示されている。図示されているように、変形例では、ベース部１２０の溝１２４の底部には、赤色の光を発する赤色ＬＥＤ１２６Ｒと、緑色の光を発する緑色ＬＥＤ１２６Ｇと、青色の光を発する青色ＬＥＤ１２６Ｂとが、一列に設けられている。そして、表示板１１０が装着された時に、赤色ＬＥＤ１２６Ｒには、Ｒ用の表示板１１０Ｒの端面が向かい合う位置となり、緑色ＬＥＤ１２６Ｇには、Ｇ用の表示板１１０Ｇの端面が向かい合い、そして、青色ＬＥＤ１２６Ｂには、Ｂ用の表示板１１０Ｂの端面が向かい合うように構成されている。従って、赤色ＬＥＤ１２６Ｒを点灯すれば、赤色の光がＲ用の表示板１１０Ｒの内部に入射され、表示板１１０Ｒの表面に透明インクで印刷された画像（分版されたＲ画像）を赤色に浮き上がらせる。同様に、緑色ＬＥＤ１２６Ｇを点灯すれば、Ｇ用の表示板１１０Ｇに印刷されたＧ画像が緑色に浮き上がり、青色ＬＥＤ１２６Ｂを点灯すれば、Ｂ用の表示板１１０Ｂに印刷されたＢ画像が青色に浮き上がる。その結果、これらＲ画像、Ｇ画像、Ｂ画像が合成されて、透明な表示板１１０にカラー画像が表示されることになる。
【００５６】
また、Ｇ用の表示板１１０Ｇの表面およびＢ用の表示板１１０Ｂの表面には、それぞれ小さな突起１１８が設けられているので、表示板１１０Ｒ、表示板１１０Ｇ、表示板１１０Ｂの表面同士が接触しないようになっている。このため、ある表示板１１０の内部を伝播する光が隣の表示板１１０の内部に侵入して、隣の画像を光らせることが回避されている。例えばＲ用の表示板１１０Ｒの中を伝播するＲ色の光が、隣のＧ用の表示板１１０Ｇの中に侵入すると、本来はＧ色に光らせるべきＧ画像をＲ色の光らせてしまうので、本来の色彩でカラー画像を表示することができなくなってしまう。Ｇ色の光やＢ色の光についても同様なことがあてはまる。この点、変形例の表示装置１００では、小さな突起１１８によって、表示板１１０Ｒ、表示板１１０Ｇ、表示板１１０Ｂの間に隙間を確保することによって、こうした問題の発生を回避している。
【００５７】
このような変形例の表示装置１００においても、高画質なカラー画像を表示するために、透明インクで印刷する画像を高解像度化すると、画像のぎらつきが発生し得る。しかし、図８を用いて前述したように、透明インクで印刷された画像の上から、透明樹脂によるクリア層１１６を形成して最表面を平滑に形成しておくことで、ギラツキの発生を回避することが可能となる。例えば、Ｒ用の表示板１１０Ｒに印刷されたＲ画像の上に、クリア層１１６を形成すれば、Ｒ画像を構成するインク層１１４の端部がＲ色にぎらつくことを回避することができる。同様に、Ｇ用の表示板１１０Ｇに印刷されたＧ画像の上にクリア層１１６を形成し、Ｂ用の表示板１１０Ｂに印刷されたＢ画像の上にクリア層１１６を形成すれば、Ｇ画像を構成するインク層１１４の端部や、Ｂ画像を構成するインク層１１４の端部が、それぞれＧ色またはＢ色にぎらつくことを回避することができる。その結果、図１１に例示したように、表示板１１０全体として、ギラツキのない良好なカラー画像を浮かび上がらせて表示することが可能となる。
【００５８】
以上、本発明について各種の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【図面の簡単な説明】
【００５９】
【図１】本実施例の表示装置１００の大まかな構成を示した説明図である。
【図２】本実施例のベース部１２０の大まかな構造を示した説明図である。
【図３】ベース部１２０に表示板１１０が装着された様子を示す断面図である。
【図４】透明な表示板１１０の表面に透明インクで印刷された画像１１２が浮かび上がるように表示される原理を示した説明図である。
【図５】画像を表示したときに、透明インクで印刷された画像がぎらついて見えることがある理由を示した説明図である。
【図６】大きさの異なるインク層１１４について頂面部に相当する部分および端部に相当する部分を対比して示した説明図である。
【図７】透明インクで画像が印刷された表示板１１０の表面の一部を拡大した様子を概念的に示した説明図である。
【図８】ぎらつきの発生を回避可能な理由を示した説明図である。
【図９】カラー画像を表示可能な変形例の表示板１１０を示した説明図である。
【図１０】カラー画像を表示可能な変形例のベース部１２０に表示板１１０が装着された様子を示す説明図である。
【図１１】変形例の表示装置１００でカラー画像を表示した様子を例示する説明図である。
【符号の説明】
【００６０】
１００…表示装置、    １１０…表示板、    １１０Ｂ…表示板、
１１２…画像、    １１４…インク層、    １１４ｐ…光散乱微粒子、
１１６…クリア層、    １１８…突起、    １２０…ベース部、
１２２…操作スイッチ、    １２４…溝、    １２６…ＬＥＤ
【図１】
2010128383.tif 000003
【図２】
2010128383.tif 000004
【図３】
2010128383.tif 000005
【図４】
2010128383.tif 000006
【図５】
2010128383.tif 000007
【図６】
2010128383.tif 000008
【図７】
2010128383.tif 000009
【図８】
2010128383.tif 000010
【図９】
2010128383.tif 000011
【図１０】
2010128383.tif 000012
【図１１】
2010128383.tif 000013